(57)【要約】【課題】光学接続部材を用いてパネル支持部材上に接着された照明パネルを、そのパネル支持部材上から容易に剥がす。【解決手段】照明器具１００は、照明パネル１０Ｂと、透明性を有するパネル支持部材２０と、照明パネル１０Ｂとパネル支持部材２０との間に設けられ、照明パネル１０Ｂをパネル支持部材２０上に接着させる光学接続部材３０Ｂと、を備え、パネル支持部材２０には、その表面２０Ｓから光学接続部材３０Ｂが設けられている部分に向かって貫通する貫通穴２０Ｈが設けられている。【選択図】図２
2013187008.tif 000002
【特許請求の範囲】
【請求項１】
照明パネルと、
透明性を有するパネル支持部材と、
前記照明パネルと前記パネル支持部材との間に設けられ、前記照明パネルを前記パネル支持部材上に接着させる光学接続部材と、を備え、
前記パネル支持部材には、その表面から前記光学接続部材が設けられている部分に向かって貫通する貫通穴が設けられている、
照明器具。
【請求項２】
前記照明パネルは、前記パネル支持部材の上に複数設けられる、
請求項１に記載の照明器具。
【請求項３】
前記照明パネルは、有機ＥＬから構成される、
請求項１または２に記載の照明器具。
【請求項４】
前記光学接続部材の前記パネル支持部材に設けられた前記貫通穴に対向する部分には、他の貫通穴が設けられている、
請求項１から３のいずれかに記載の照明器具。
【請求項５】
請求項１〜４のいずれかに記載の照明器具に用いられる照明パネルの剥離方法であって、
前記パネル支持部材の表面側から前記パネル支持部材に設けられた前記貫通穴に流体を注入することで前記照明パネルを前記パネル支持部材から剥離する、
照明パネルの剥離方法。
【発明の詳細な説明】
【技術分野】
【０００１】
本発明は、照明パネルを備える照明器具およびその照明器具に用いられる照明パネルの剥離方法に関する。
【背景技術】
【０００２】
照明器具に用いられる照明パネルは、透明性を有するアクリル等のパネル支持部材上に接着される場合がある。この場合、照明器具としての薄型化を図り、所定の剛性を確保する等の観点から、照明パネルは、透明性を有する接着剤（光学接続部材）等を用いてパネル支持部材上に接着されることがある。
【０００３】
本発明とは技術分野が異なるが、特開２００７−２６５６２５号公報（特許文献１）には、第１の基板と第２の基板とを、これらの内側に気泡を残すことなく接着剤を用いて貼り合わせる技術が開示されている。
【先行技術文献】
【特許文献】
【０００４】
【特許文献１】特開２００７−２６５６２５号公報
【発明の概要】
【発明が解決しようとする課題】
【０００５】
照明パネルは、光学接続部材を用いてパネル支持部材上に一旦貼り付けられてしまうと、容易に剥離することができない。無理に剥離しようとすると、照明パネル自身が破損してしまうこともある。
【０００６】
本発明は、光学接続部材を用いてパネル支持部材上に接着された照明パネルを、そのパネル支持部材上から容易に剥がすことが可能な構造を有する照明器具、およびその照明器具に用いられる照明パネルの剥離方法を提供することを目的とする。
【課題を解決するための手段】
【０００７】
本発明に基づく照明器具は、照明パネルと、透明性を有するパネル支持部材と、上記照明パネルと上記パネル支持部材との間に設けられ、上記照明パネルを上記パネル支持部材上に接着させる光学接続部材と、を備え、上記パネル支持部材には、その表面から上記光学接続部材が設けられている部分に向かって貫通する貫通穴が設けられている。
【０００８】
好ましくは、上記照明パネルは、上記パネル支持部材の上に複数設けられる。好ましくは、上記照明パネルは、有機ＥＬから構成される。好ましくは、上記光学接続部材の上記パネル支持部材に設けられた上記貫通穴に対向する部分には、他の貫通穴が設けられている。
【０００９】
本発明に基づく照明パネルの剥離方法は、本発明に基づく上記の照明器具に用いられる照明パネルの剥離方法であって、上記パネル支持部材の表面側から上記パネル支持部材に設けられた上記貫通穴に流体を注入することで上記照明パネルを上記パネル支持部材から剥離する。
【発明の効果】
【００１０】
本発明によれば、光学接続部材を用いてパネル支持部材上に接着された照明パネルを、そのパネル支持部材上から容易に剥がすことが可能な構造を有する照明器具、およびその照明器具に用いられる照明パネルの剥離方法を得ることができる。
【図面の簡単な説明】
【００１１】
【図１】実施の形態１における照明器具を示す底面図である。
【図２】図１中のＩＩ−ＩＩ線に沿った矢視断面図である。
【図３】実施の形態１における照明器具に用いられる照明パネルを示す平面図である。
【図４】図３中のＩＶ−ＩＶ線に沿った矢視断面図である。
【図５】実施の形態１における照明器具に用いられる照明パネルの交換動作（剥離方法）を説明するための断面図である。
【図６】実施の形態２における照明器具を示す断面図である。
【図７】実施の形態２における照明器具に用いられる照明パネルの交換動作（剥離方法）を説明するための断面図である。
【図８】実施の形態の変形例における照明器具を示す断面図である。
【発明を実施するための形態】
【００１２】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００１３】
［実施の形態１］
図１〜図４を参照して、本実施の形態における照明器具１００について説明する。図１は、照明器具１００を示す底面図である。図２は、図１中のＩＩ−ＩＩ線に沿った矢視断面図である。図３は、照明器具１００に用いられる照明パネル１０Ａを示す平面図である。図４は、図３中のＩＶ−ＩＶ線に沿った矢視断面図である。
【００１４】
図１および図２に示すように、照明器具１００は、複数の照明パネル１０Ａ，１０Ｂ，１０Ｃ、パネル支持部材２０、および、光学接続部材３０Ａ，３０Ｂ，３０Ｃ（図２参照）を備える。
【００１５】
本実施の形態における照明パネル１０Ａ，１０Ｂ，１０Ｃは、平面形状を有し、有機ＥＬ（Organic  Electroluminescence）からそれぞれ構成される。照明パネル１０Ａ，１０Ｂ，１０Ｃは、発光面１１（図２参照）が各々の表面側に設けられ、有機層１４（図２参照）が各々の内部に設けられる。照明パネル１０Ａ，１０Ｂ，１０Ｃは、所定の間隔を空けて互いに平行な位置関係となるように配置され、光学接続部材３０Ａ，３０Ｂ，３０Ｃを用いてパネル支持部材２０上にそれぞれ接着固定されている。
【００１６】
照明パネル１０Ａ，１０Ｂ，１０Ｃは、全体として平面状に配列されており、パネル支持部材２０および光学接続部材３０Ａ，３０Ｂ，３０Ｃによってタイリングされている。照明パネル１０Ａ，１０Ｂ，１０Ｃの更なる詳細な構造については、図３および図４を参照して後述する。
【００１７】
パネル支持部材２０は、板状に形成される。パネル支持部材２０は、アクリルまたはガラス等の透明性を有する部材から構成される。詳細な動作は後述されるが、パネル支持部材２０には、その表面２０Ｓから光学接続部材３０Ａ，３０Ｂ，３０Ｃが設けられている部分に向かって貫通する複数の貫通穴２０Ｈが設けられている。パネル支持部材２０の厚さは、たとえば１．０ｍｍ〜２．０ｍｍである。貫通穴２０Ｈの直径は、たとえば１．０ｍｍである。
【００１８】
光学接続部材３０Ａ，３０Ｂ，３０Ｃは、照明パネル１０Ａ，１０Ｂ，１０Ｃとパネル支持部材２０との間にそれぞれ設けられる。光学接続部材３０Ａ，３０Ｂ，３０Ｃは、照明パネル１０Ａ，１０Ｂ，１０Ｃをパネル支持部材２０上にそれぞれ接着させる。
【００１９】
光学接続部材３０Ａ，３０Ｂ，３０Ｃとしては、高い透明性を有する接着剤テープ（ＯＣＡ：Optical  Clear  Adhesive  Tape）等が用いられる。本実施の形態における光学接続部材３０Ａ，３０Ｂ，３０Ｃは、照明パネル１０Ａ，１０Ｂ，１０Ｃのそれぞれに対応するように分割されているが、これらは１枚の接着剤テープとして一体的に形成されていてもよい。
【００２０】
光学接続部材３０Ａ，３０Ｂ，３０Ｃとしては、テープ状のものに限られない。光学接続部材３０Ａ，３０Ｂ，３０Ｃとしては、照明パネル１０Ａ，１０Ｂ，１０Ｃとパネル支持部材２０とを光学的に接続可能であり、かつ、これら同士を機械的に固定可能なものであれば、たとえば株式会社タイカ社製の光学用アルファゲル（登録商標）等が用いられてもよい。
【００２１】
（照明パネル１０Ａ，１０Ｂ，１０Ｃ）
図３および図４を参照して、照明パネル１０Ａ，１０Ｂ，１０Ｃの詳細について説明する。照明パネル１０Ｂ，１０Ｃは、照明パネル１０Ａと同一に構成されるため、ここでは照明パネル１０Ａについてのみ説明する。図３は、照明パネル１０Ａを示す平面図である。図４は、図３中のＩＶ−ＩＶ線に沿った矢視断面図である。
【００２２】
図３および図４に示すように、照明パネル１０Ａは、有機ＥＬを含む発光手段である。照明パネル１０Ａは、透明基板１２（カバー層）、陽極１３、有機層１４、陰極１５、封止部材１６、絶縁層１７、および、発光面１１を含む。陽極１３、有機層１４、および陰極１５は、透明基板１２の表面に順次積層される。
【００２３】
透明基板１２は、たとえば各種のガラス基板から構成される。透明基板１２を構成する部材としては、ＰＥＴ（Polyethylene  Terephthalate）またはポリカーボネイト等のフィルム基板が用いられてもよい。発光面１１は、透明基板１２の有機層１４とは反対側の表面に形成される。
【００２４】
陽極１３は、透明性を有する導電膜である。陽極１３を形成するためには、スパッタリング法等によって、ＩＴＯ（Indium  Tin  Oxide：インジウム錫酸化物）等が透明基板１２上に成膜される。フォトリソグラフィ法等によりＩＴＯ膜が所定の形状にパターニングされることによって、陽極１３が形成される。本実施の形態における陽極１３は、電極部１８および電極部１９を形成するために、パターニングによって２つの領域に分割されている。
【００２５】
有機層１４（発光部）は、電力を供給されることによって光（可視光）を生成することができる。有機層１４は、単層の発光層から構成されていてもよく、正孔輸送層、発光層、正孔阻止層、および電子輸送層などが順次積層されることによって構成されていてもよい。
【００２６】
陰極１５は、たとえばアルミニウム（ＡＬ）である。陰極１５は、真空蒸着法等によって有機層１４を覆うように形成される。陰極１５を所定の形状にパターニングするために、真空蒸着の際にはマスクが用いられるとよい。
【００２７】
本実施の形態においては、陰極１５と陽極１３とが短絡しないように、陰極１５と電極部１８側の陽極１３との間に絶縁層１７が設けられる。陰極１５の絶縁層１７が設けられる側とは反対側の部分は、電極部１９側の陽極１３に接続される。絶縁層１７は、たとえばスパッタリング法を用いてＳｉＯ２などが成膜された後、フォトリソグラフィ法等を用いて陽極１３と陰極１５とを互いに絶縁する箇所を覆うように所望のパターンに形成される。
【００２８】
封止部材１６は、絶縁性を有する樹脂またはガラス基板などから構成される。封止部材１６は、有機層１４を水分等から保護するために形成される。封止部材１６は、陽極１３、有機層１４、および陰極１５（照明パネル１０Ａの内部に設けられる部材）の略全体を透明基板１２上に封止する。陽極１３の一部は、電気的な接続のために、封止部材１６から露出している。
【００２９】
陽極１３の封止部材１６から露出している（図４左側の）部分は、電極部１８を構成する。電極部１８と陽極１３とは互いに同じ材料で構成される。電極部１８は、照明パネル１０Ａの外周部に位置する。陽極１３の封止部材１６から露出している（図４右側の）部分は、電極部１９を構成する。電極部１９と陽極１３とは互いに同じ材料で構成される。電極部１９も、照明パネル１０Ａの外周部に位置する。電極部１８および電極部１９は、有機層１４を挟んで相互に反対側に位置している。
【００３０】
以上のように構成される照明パネル１０Ａにおいては、有機層１４が形成されている領域に対応して発光部ＲＲが形成され、発光部ＲＲの電極部１８側に非発光部Ｒ１が形成され、そして、発光部ＲＲの電極部１９側に非発光部Ｒ２が形成される。上述のとおり、以上の照明パネル１０Ａの構成については、照明パネル１０Ｂ，１０Ｃについても同様である。
【００３１】
図２を再び参照して、照明パネル１０Ａ，１０Ｂ，１０Ｃは、接続配線４１〜４４を通して互いに直列接続される。具体的には、照明パネル１０Ａの電極部１８（図３，図４参照）には、接続配線４１が接続される。接続配線４１は、外部の電源回路（図示せず）等と照明パネル１０Ａの電極部１８とを互いに電気的に接続する。照明パネル１０Ａの電極部１９（図３，図４参照）と照明パネル１０Ｂの電極部１８とは、接続配線４２によって互いに電気的に接続される。
【００３２】
同様に、照明パネル１０Ｂの電極部１９と照明パネル１０Ｃの電極部１８とは、接続配線４３によって互いに電気的に接続される。接続配線４４は、外部の電源回路（図示せず）等と照明パネル１０Ｃの電極部１９とを互いに電気的に接続する。接続配線４１〜４４は、銅線などから構成される。接続配線４１〜４４と各電極部とは、銀ペーストなどを用いて互いに固定される。
【００３３】
以上のように構成される照明器具１００においては、照明パネル１０Ａ，１０Ｂ，１０Ｃに電力が供給されることによって、各々の有機層１４で光が生成される。有機層１４で生成された光は、透明基板１２、光学接続部材３０Ａ，３０Ｂ，３０Ｃ、および、パネル支持部材２０を通して、外部に取り出される（図２中の白抜き矢印参照）。これにより、照明器具１００は照明手段として機能することが可能となる。
【００３４】
（照明パネルの交換動作（照明パネルの剥離方法））
図５を参照して、ここで、照明パネル１０Ｂに発光不良が発生し、照明パネル１０Ｂの交換が必要になったと仮定する。この際、照明パネル１０Ｂから接続配線４２，４３が取り外される。次いで、空気吐出手段５０が準備され、空気吐出手段５０は、その吐出口が、照明パネル１０Ｂに対応する貫通穴２０Ｈに向かうように配置される。
【００３５】
この状態で、空気吐出手段５０から貫通穴２０Ｈに向かって空気等の流体が注入される（図５中の白抜き矢印参照）。パネル支持部材２０に接着されていた光学接続部材３０Ｂは、パネル支持部材２０から徐々に剥離され、間隙Ｓ１が形成される。空気の注入によって間隙Ｓ１はさらに大きくなり、照明パネル１０Ｂは、光学接続部材３０Ｂとともに、パネル支持部材２０に対して容易に剥がすことが可能な状態となる。
【００３６】
照明パネル１０Ｂが光学接続部材３０Ｂとともにパネル支持部材２０から剥がされた後には、下面に光学接続部材が予め接着された新しい照明パネルが準備され、その新しい照明パネルおよび光学接続部材は、照明パネル１０Ｂおよび光学接続部材３０Ｂに置き換わるように、パネル支持部材２０上に接着固定される。その後、接続配線４２，４３がその照明パネルに接続される。これにより、交換作業は完了する。
【００３７】
照明器具１００によれば、貫通穴２０Ｈを用いた空気の注入によって、照明パネル１０Ａ，１０Ｂ，１０Ｃをパネル支持部材２０に対して容易に剥がすことが可能となっている。パネル支持部材２０から剥がす際に、照明パネル１０Ａ，１０Ｂ，１０Ｃが破損してしまうことは効果的に抑制されている。照明パネル１０Ａ，１０Ｂ，１０Ｃのうちの一枚が故障した場合であっても、その故障した一枚の照明パネルのみを交換するだけで、照明器具１００の全部を取り換える必要がない。したがって照明器具１００によれば、メンテナンス作業性の向上およびメンセナンス費用の低減を図ることが可能となっている。
【００３８】
本実施の形態においては、パネル支持部材２０の表面２０Ｓから光学接続部材３０Ａ，３０Ｂ，３０Ｃが設けられている部分に向かって、直線状に延びる複数の貫通穴２０Ｈが設けられている。したがって、照明パネル１０Ｂなどをパネル支持部材２０から取り外す際には、貫通穴２０Ｈに細い棒状の部材が挿入され、その棒状の部材を用いて照明パネル１０Ｂなどを押し上げるようにしてパネル支持部材２０から剥がしてもよい。
【００３９】
貫通穴２０Ｈの設けられる位置、貫通穴２０Ｈの設けられる個数、および貫通穴２０Ｈの形状については、光学接続部材が設けられていない部分（たとえばパネル支持部材２０の側面または上面等の各表面）から光学接続部材が設けられている部分に向かってパネル支持部材２０を貫通するように貫通穴２０Ｈが設けられていれば、どのようなものであってもよい。当該構成によれば、光学接続部材に向かって空気などの流体を注入することが可能であり、照明パネルをパネル支持部材２０から容易に取り外すことができる。なお、貫通穴２０Ｈは、貫通穴２０Ｈが発光をできるだけ遮らないように、必要最小限の大きさで且つ必要最小限の個数が設けられるように構成されるとよい。
【００４０】
また、本実施の形態においてはパネル支持部材２０上に３枚の照明パネル（照明パネル１０Ａ，１０Ｂ，１０Ｃ）が設けられるが、本発明は、パネル支持部材２０の上に１枚の照明パネルが設けられるという構成にも適用可能であり、パネル支持部材２０の上に２枚または４枚以上の照明パネルが設けられるという構成にも適用可能である。
【００４１】
［実施の形態２］
図６および図７を参照して、本実施の形態における照明器具２００について説明する。照明器具２００においては、上述の実施の形態１の照明器具１００における貫通穴２０Ｈ（図２，図５等参照）の代わりに、貫通穴２０Ｊが設けられる。
【００４２】
貫通穴２０Ｊは、パネル支持部材２０だけでなく、光学接続部材３０Ａ，３０Ｂ，３０Ｃの各々を貫通するように設けられる。貫通穴２０Ｊは、パネル支持部材２０の表面Ｓから光学接続部材３０Ａ，３０Ｂ，３０Ｃの各々を貫通し、照明パネル１０Ａ，１０Ｂ，１０Ｃの下面（発光面１１）に到達している。なお、パネル支持部材２０に設けられた貫通穴２０Ｊと光学接続部材３０Ａ，３０Ｂ，３０Ｃの各々に設けられた貫通穴２０Ｊ（他の貫通穴）とは相互に対向しているが、パネル支持部材２０に設けられた貫通穴２０Ｊの径と光学接続部材３０Ａ，３０Ｂ，３０Ｃの各々に設けられた貫通穴２０Ｊ（他の貫通穴）の径とは、必ずしも同一でなくてよい。
【００４３】
（照明パネルの交換動作（照明パネルの剥離方法））
図７を参照して、照明パネル１０Ｂに発光不良が発生し、照明パネル１０Ｂの交換が必要になったと仮定する。この際、照明パネル１０Ｂから接続配線４２，４３が取り外される。次いで、空気吐出手段５０が準備され、空気吐出手段５０は、その吐出口が、照明パネル１０Ｂに対応する貫通穴２０Ｊに向かうように配置される。
【００４４】
この状態で、空気吐出手段５０から貫通穴２０Ｊに向かって空気等の流体が注入される（図７中の白抜き矢印参照）。貫通穴２０Ｊに棒状の部材が挿入されてもよい。照明パネル１０Ｂに接着されていた光学接続部材３０Ｂは、照明パネル１０Ｂから徐々に剥離され、間隙Ｓ２が形成される。空気の注入によって間隙Ｓ２はさらに大きくなり、照明パネル１０Ｂは、パネル支持部材２０およびパネル支持部材２０に接着された光学接続部材３０Ｂから容易に剥がすことが可能な状態となる。
【００４５】
照明パネル１０Ｂがパネル支持部材２０に接着された光学接続部材３０Ｂから剥がされた後には、新しい照明パネルが準備され、その新しい照明パネルは、照明パネル１０Ｂに置き換わるように、パネル支持部材２０上に接着固定される。その後、接続配線４２，４３がその照明パネルに接続される。これにより、交換作業は完了する。照明パネル１０Ｂを新しいものに交換する際、光学接続部材３０Ｂも合わせて新しいものに代えてもよい。
【００４６】
図８を参照して、上述の各実施の形態においては、照明パネル１０Ａ，１０Ｂ，１０Ｃに対応するように、光学接続部材３０Ａ，３０Ｂ，３０Ｃがそれぞれ設けられている。これに対して、図８に示す照明器具３００ように、照明パネル１０Ａおよび照明パネル１０Ｂを跨ぐようにして光学接続部材３０Ｂが設けられ、照明パネル１０Ｂおよび照明パネル１０Ｃを跨ぐようにして光学接続部材３０Ｃが設けられていてもよい。当該構成によっても、貫通穴２０Ｊ（または貫通穴２０Ｈ）を用いて空気の注入を行うことによって、上述の各実施の形態と同様に、容易に照明パネルを剥がすことが可能となる。
【００４７】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００４８】
１０Ａ，１０Ｂ，１０Ｃ  照明パネル、１１  発光面、１２  透明基板、１３  陽極、１４  有機層、１５  陰極、１６  封止部材、１７  絶縁層、１８，１９  電極部、２０  パネル支持部材、２０Ｈ，２０Ｊ  貫通穴、２０Ｓ  表面、３０Ａ，３０Ｂ，３０Ｃ  光学接続部材、４１，４２，４３，４４  接続配線、５０  空気吐出手段、１００，２００，３００  照明器具、Ｒ１，Ｒ２  非発光部、ＲＲ  発光部、Ｓ１，Ｓ２  間隙。
【図１】
2013187008.tif 000003
【図２】
2013187008.tif 000004
【図３】
2013187008.tif 000005
【図４】
2013187008.tif 000006
【図５】
2013187008.tif 000007
【図６】
2013187008.tif 000008
【図７】
2013187008.tif 000009
【図８】
2013187008.tif 000010